(57)【要約】  エクササイズマシン用のケーブルアタッチメントハンドルは、水平軸心を形成する主取り付けボディと、当該主取り付けボディから延出する第１スタッドと、当該第１スタッド回りで回転可能な第１ハンドル取付台と、当該第１ハンドル取付台から延出する第１ハンドルと、前記主取り付けボディから延出する第２スタッドと、当該第２スタッド回りで回転可能な第２ハンドル取付台と、当該第２ハンドル取付台から延出する第２ハンドルと、前記第１スタッドと第２スタッドの間で前記主取り付けボディに固定されたケーブルアタッチメント部材、とを有する。
2021505329.tif 000002
【特許請求の範囲】
【請求項１】
エクササイズマシン用のケーブルアタッチメントハンドルであって、
水平軸心を形成する主取り付けボディと、
前記主取り付けボディから延出する第１スタッドと、
前記第１スタッド回りで回転可能な第１ハンドル取付台と、
前記第１ハンドル取付台から延出する第１ハンドルと、
前記主取り付けボディから延出する第２スタッドと、
前記第２スタッド回りで回転可能な第２ハンドル取付台と、
前記第２ハンドル取付台から延出する第２ハンドルと、
前記第１スタッドと第２スタッドの間で前記主取り付けボディに固定されたケーブルアタッチメント部材と、を有するケーブルアタッチメントハンドル。
【請求項２】
前記第１ハンドルは、前記第１スタッドに対して実質的に垂直に延出し、
前記第２ハンドルは、前記第２スタッドに対して実質的に垂直に延出している請求項１に記載のケーブルアタッチメントハンドル。
【請求項３】
前記主取り付けボディから延出するとともに前記第１ハンドル取付台に形成された複数の位置合わせ穴のいずれかに取り外し可能に係合するように構成された第１位置合わせピンと、
前記主取り付けボディから延出するとともに前記第２ハンドル取付台に形成された複数の位置合わせ穴のいずれかに取り外し可能に係合するように構成された第２位置合わせピンと、を更に有し、
前記第１位置合わせピンを前記第１ハンドル取付台に形成された複数の位置合わせ穴のいずれかに係合することによって、前記第１ハンドル取付台の前記主取り付けボディに対する相対回転が阻止され、
前記第２位置合わせピンを前記第２ハンドル取付台に形成された複数の位置合わせ穴のいずれかに係合することによって、前記第２ハンドル取付台の前記主取り付けボディに対する相対回転が阻止される請求項１に記載のケーブルアタッチメントハンドル。
【請求項４】
前記第１ハンドルと第２ハンドルとは、
前記第１位置合わせピンが前記第１ハンドル取付台に形成された前記複数の位置合わせ穴の第１の穴に係合し、かつ、前記第２位置合わせピンが前記第２ハンドル取付台に形成された前記複数の位置合わせ穴の第１の穴に係合する少なくとも部分的に回外の位置と、
前記第１位置合わせピンが前記第１ハンドル取付台に形成された前記複数の位置合わせ穴の第２の穴に係合し、かつ、前記第２位置合わせピンが前記第２ハンドル取付台に形成された前記複数の位置合わせ穴の第２の穴に係合する中立位置と、
前記第１位置合わせピンが前記第１ハンドル取付台に形成された前記複数の位置合わせ穴の第３の穴に係合し、かつ、前記第２位置合わせピンが前記第２ハンドル取付台に形成された前記複数の位置合わせ穴の第３の穴に係合する少なくとも部分的に回内の位置と、
の間で調節可能である請求項３に記載のケーブルアタッチメントハンドル。
【請求項５】
前記第１ハンドルと前記第２ハンドルとは、更に、
前記第１位置合わせピンが前記第１ハンドル取付台に形成された前記複数の位置合わせ穴の第４の穴に係合し、かつ、前記第２位置合わせピンが前記第２ハンドル取付台に形成された前記複数の位置合わせ穴の第４の穴に係合する完全回内位置と、
の間で調節可能である請求項３に記載のケーブルアタッチメントハンドル。
【請求項６】
前記第１ハンドル取付台から延出するとともに前記主取り付けボディに形成された第１の複数の位置合わせ穴のいずれかに取り外し可能に係合するように構成された第１位置合わせピンと、
前記第２ハンドル取付台から延出するとともに前記主取り付けボディに形成された第２の複数の位置合わせ穴のいずれかに取り外し可能に係合するように構成された第２位置合わせピンと、を更に有し、
前記第１位置合わせピンを前記第１複数の位置合わせ穴のいずれかに係合することによって、前記第１ハンドル取付台の前記主取り付けボディに対する相対回転が阻止され、
前記第２位置合わせピンを前記第２複数の位置合わせ穴のいずれかに係合することによって、前記第２ハンドル取付台の前記主取り付けボディに対する相対回転が阻止される請求項１に記載のケーブルアタッチメントハンドル。
【請求項７】
前記前記第１ハンドルと第２ハンドルとは、
前記第１位置合わせピンが前記主取り付けボディに形成された前記第１の複数の位置合わせ穴の第１の穴に係合し、かつ、前記第２位置合わせピンが前記主取り付けボディに形成された前記第２の複数の位置合わせ穴の第１の穴に係合する回外位置と、
前記第１位置合わせピンが前記主取り付けボディに形成された前記第１の複数の位置合わせ穴の第２の穴に係合し、かつ、前記第２位置合わせピンが前記主取り付けボディに形成された前記第２の複数の位置合わせ穴の第２の穴に係合する中立位置と、
前記第１位置合わせピンが前記主取り付けボディに形成された前記第１の複数の位置合わせ穴の第３の穴に係合し、かつ、前記第２位置合わせピンが前記主取り付けボディに形成された前記第２の複数の位置合わせ穴の第３の穴に係合する回内位置と、
の間で調節可能である請求項６に記載のケーブルアタッチメントハンドル。
【請求項８】
前記第１ハンドルと前記第２ハンドルとは、更に、
前記第１位置合わせピンが前記第１ハンドル取付台に形成された前記複数の位置合わせ穴の第４の穴に係合し、かつ、前記第２位置合わせピンが前記第２ハンドル取付台に形成された前記複数の位置合わせ穴の第４の穴に係合する完全回外位置と、
の間で調節可能である請求項７に記載のケーブルアタッチメントハンドル。
【請求項９】
前記第１ハンドルは、前記第１ハンドル取付台に取り外し可能に取り付けられ、
前記第２ハンドルは、前記第２ハンドル取付台に取り外し可能に取り付けられている請求項１に記載のケーブルアタッチメントハンドル。
【請求項１０】
前記第１ハンドルと前記第２ハンドルのそれぞれは、
長手軸心を有する支柱と、当該支柱からこの支柱の長手軸心に対して平行な平面に沿って延出するパドルと、を有する請求項１に記載のケーブルアタッチメントハンドル。
【請求項１１】
前記第１及び第２ハンドルのそれぞれを、前記第１及び第２ハンドル取付台、にそれぞれ固定する単数または複数の固定具を有する請求項１０に記載のケーブルアタッチメントハンドル。
【請求項１２】
前記単数または複数の固定具は、前記第１及び第２ハンドルが前記支柱の前記長手軸心に対して平行な軸心回りで回転することを阻止するべく互いに離間した二つ以上の固定具を含む請求項１０に記載のケーブルアタッチメントハンドル。
【請求項１３】
前記パドルは、前記主取り付けボディの前記水平軸心に対して垂直なパドル軸心に対して約１０度ないし約３０度の角度で前記支柱から延出している請求項１０に記載のケーブルアタッチメントハンドル。
【請求項１４】
前記第１支柱と前記第２支柱とのそれぞれは、前記主取り付けボディの前記水平軸心に沿ってスライド可能である請求項１に記載のケーブルアタッチメントハンドル。
【請求項１５】
前記第１支柱と前記第２支柱とのそれぞれは、前記主取り付けボディの前記水平軸心に
沿った複数の位置のいずれかにおいてポッパーピンによって固定可能である請求項１４に記載のケーブルアタッチメントハンドル。
【請求項１６】
エクササイズマシン用のケーブルアタッチメントハンドルであって、
水平軸心を形成する主取り付けボディと、
前記主取り付けボディに対して回転可能な第１ハンドル取付台と、
前記主取り付けボディから延出する第１ハンドルと、
前記主取り付けボディに対して回転可能な第２ハンドル取付台と、
前記第２ハンドル取付台から延出する第２ハンドルと、
前記第１スタッドと前記第２スタッドとの間で前記主取り付けボディに対して固定されたケーブルアタッチメント部材と、を有するケーブルアタッチメントハンドル。
【請求項１７】
前記第１ハンドルと前記第２ハンドルのそれぞれは、
長手軸心を有する支柱と、当該支柱からこの支柱の長手軸心に対して平行な平面に沿って延出するパドルと、を有する請求項１６に記載のケーブルアタッチメントハンドル。
【請求項１８】
前記パドルは、前記主取り付けボディの前記水平軸心に対して垂直なパドル軸心に対して約１０度ないし約３０度の角度で前記支柱から延出している請求項１７に記載のケーブルアタッチメントハンドル。
【請求項１９】
前記主取り付けボディから延出するとともに前記第１ハンドル取付台に形成された複数の位置合わせ穴のいずれかに取り外し可能に係合するように構成された第１位置合わせピンと、
前記主取り付けボディから延出するとともに前記第２ハンドル取付台に形成された複数の位置合わせ穴のいずれかに取り外し可能に係合するように構成された第２位置合わせピンと、を更に有し、
前記第１位置合わせピンを前記第１ハンドル取付台に形成された複数の位置合わせ穴のいずれか係合することによって、前記第１ハンドル取付台の前記主取り付けボディに対する相対回転が阻止され、
前記第２位置合わせピンを前記第２ハンドル取付台に形成された複数の位置合わせ穴のいずれか係合することによって、前記第２ハンドル取付台の前記主取り付けボディに対する相対回転が阻止される請求項１６に記載のケーブルアタッチメントハンドル。
【請求項２０】
前記第１ハンドルと第２ハンドルとは、
前記第１位置合わせピンが前記第１ハンドル取付台に形成された前記複数の位置合わせ穴の第１の穴に係合し、かつ、前記第２位置合わせピンが前記第２ハンドル取付台に形成された前記複数の位置合わせ穴の第１の穴に係合する少なくとも部分的に回外の位置と、
前記第１位置合わせピンが前記第１ハンドル取付台に形成された前記複数の位置合わせ穴の第２の穴に係合し、かつ、前記第２位置合わせピンが前記第２ハンドル取付台に形成された前記複数の位置合わせ穴の第２の穴に係合する中立位置と、
前記第１位置合わせピンが前記第１ハンドル取付台に形成された前記複数の位置合わせ穴の第３の穴に係合し、かつ、前記第２位置合わせピンが前記第２ハンドル取付台に形成された前記複数の位置合わせ穴の第３の穴に係合する少なくとも部分的に回内の位置と、
の間で調節可能である請求項１９に記載のケーブルアタッチメントハンドル。
【発明の詳細な説明】
【技術分野】
【０００１】
〔関連出願の相互参照〕
本出願は、ここにその開示全体を合体させる、２０１７年１２月４日出願の、「マルチハンドアングルケーブルアタッチメント」と題する米国仮出願６２／５９４，３０１号の優先権を主張するものである。
【０００２】
〔発明の分野〕
本開示は、概して、エクササイズ又はウエイトマシン用のアタッチメントハンドルに関し、より詳しくは、ユーザがエクササイズ運動を行うためにその手の位置を変えることを可能にする調節可能なアタッチメントハンドルに関する。
【背景技術】
【０００３】
〔関連技術の説明〕
カウンタウエイトやその他の抵抗部材に取り付けられたケーブルを使用するエクササイズマシンは良く知られている。従来、そのようなエクササイズマシンは、前記ケーブルの端部に固定または取り外し可能に取り付けられたハンドルを有する。このハンドルは、例えば、Ｄハンドル、バーベル又はロープハンドルとすることができる。ユーザは、前記抵抗部材の抵抗に打ち勝ちケーブルを所定の運動範囲動かすためにハンドルに力を加えなければならない。
【０００４】
引っ張り運動を行う際には、それに対して筋肉が作用するユーザのグリップ位置と、動かされる筋肉の部分とにかなりの衝撃が加わる可能性がある。引っ張り運動を行うためのグリップ位置の三つの主要なカテゴリは、ユーザの両方の手の平が互いに対向する中立グリップ位置、ユーザの手の平が上を向く回外位置、そしてユーザの手の平が下向きになる回内位置、である。中立位置は腕神経筋を大きく動かし、回外位置では上腕二頭筋を大きく動かし、回内位置では上腕筋を大きく動かす。これらの種々のグリップ位置間の調節によってユーザは、運動によって動かされる筋肉を変えることができ、それらの筋肉の動きを最適化することができる。
【０００５】
多くの従来のエクササイズマシンは、一つのグリップ位置のみを提供する固定位置ハンドルを使用している。グリップ位置を変えるには、ハンドルをその所望のグリップ位置用に構成された別のハンドルに交換しなければならない。種々の、但し固定されたグリップ位置を有する様々なエクササイズハンドルの具体例がバートン（Ｂａｒｔｏｎ）の米国特許第５，７６１，７６７号に記載されている。バートンは、又、引っ張り運動を行う時にユーザの手の平が載置されるウイングを備えたハンドルも記載している。このようなウイングによって、エクササイズマシンの負荷がユーザの指からユーザの手の平に移ることによって引っ張り力が１０％ないし２０％増加する可能性がある。しかしながら、バートンには、グリップ位置を変えるためにユーザはハンドルを交換しなければならないという上述した欠点がある。
【０００６】
レプケ（Ｒｅｏｐｋｅ）の米国特許第５，３３４，１３３号と、ザイエン（Ｚｅｉｅｎ）の米国特許公開公報Ｎｏ．２００７／０２４３９７７は、回転可能で、それによって複数のグリップ位置をサポートするエクササイズハンドルを記載している。しかしながら、レプケとザイエンとに記載のハンドルは、固定位置にロックすることができず、したがって、ユーザは、そのエクササイズ運動中ずっと所望のグリップ位置を積極的に維持しなければならない。グリップ位置を維持するために使用される筋肉活動によって、所望のエクササイズ運動を行うために使用可能な力の量が減少しうるため、これは望ましくない。更に、ユーザは、所望のグリップ位置を維持するために、エクササイズマシンの抵抗量を減らすことが必要となるかもしれない。
【０００７】
ハーバー（Ｈａｒｂｅｒ）等（以後、ハーバー）の米国特許第５，３９９，１３３号は、二つのヨークを介して三つの軸心回りで回転可能な調節可能ハンドルを記載している。前記ヨークは、締め付けノブを使用することによってセット位置へと固定することができる。しかし、締め付けノブは、前記ヨークをセット位置にロックするために摩擦に依存する。したがって、ハンドルに過剰な力が加えられると、ヨークがセット位置から移動する。更に、ハーバーでは、ユーザがノブを締める適当な位置を知っていることに依存する。又、ハーバーのハンドルは、ケーブルへの取り付けではなく、エクササイズマシンの恒久的構造に対する取り付け用に構成されている。
【０００８】
ツワードス（Ｔｗａｒｄｏｓｚ）の米国特許第４，６１８，１４３号は、複数の位置の間で回転可能な同心状の複数のリングを備えたハンドルを記載している。これらのリングは、ネジとナットとを使用して互いに対してロック可能である。しかしツワードスのハンドルは、ネジとナットの取り外しに労力と時間がかかる。
【発明の概要】
【発明が解決しようとする課題】
【０００９】
ダウンタイムを削減し複数の固定位置ハンドルの必要性をなくすべく種々のグリップ位置間において容易かつ迅速に調節可能な、ケーブルエクササイズマシン用のハンドルが求められている。
【課題を解決するための手段】
【００１０】
本発明の非限定的実施例は、エクササイズマシン用のケーブルアタッチメントハンドルに関し、これは、水平軸心を形成する主取り付けボディと、当該主取り付けボディから延出する第１スタッドと、当該第１スタッド回りで回転可能な第１ハンドル取付台（ｈａｎｄｌｅ ｍｏｕｎｔ）と、当該第１ハンドル取付台から延出する第１ハンドルと、前記主取り付けボディから延出する第２スタッドと、当該第２スタッド回りで回転可能な第２ハンドル取付台と、当該第２ハンドル取付台から延出する第２ハンドルと、前記第１スタッドと第２スタッドの間で前記主取り付けボディに固定されたケーブルアタッチメント部材、とを有する。
【００１１】
いくつかの非限定的実施例において、前記第１ハンドルは、前記第１スタッドに対して実質的に垂直に延出し、そして、前記第２ハンドルは前記第２スタッドに対して実質的に垂直に延出している。
【００１２】
いくつかの非限定的実施例において、前記ケーブルアタッチメントハンドルは、更に、前記主取り付けボディから延出するとともに前記第１ハンドル取付台に形成された複数の位置合わせ穴（ａｌｉｇｎｍｅｎｔ ｈｏｌｅｓ）のいずれかに取り外し可能に係合するように構成された第１位置合わせピン（ａｌｉｇｎｍｅｎｔ ｐｉｎ）と、前記主取り付けボディから延出するとともに前記第２ハンドル取付台に形成された複数の位置合わせ穴のいずれかに取り外し可能に係合するように構成された第２位置合わせピンとを有する。前記第１位置合わせピンを前記第１ハンドル取付台に形成された複数の位置合わせ穴のいずれかに係合することによって、前記第１ハンドル取付台の前記主取り付けボディに対する相対回転が阻止される。前記第２位置合わせピンを前記第２ハンドル取付台に形成された複数の位置合わせ穴のいずれか係合することによって、前記第２ハンドル取付台の前記主取り付けボディに対する相対回転が阻止される。 
【００１３】
いくつかの非限定的実施例において、前記第１ハンドルと第２ハンドルとは、前記第１位置合わせピンが前記第１ハンドル取付台に形成された前記複数の位置合わせ穴の第１の穴に係合し、かつ、前記第２位置合わせピンが前記第２ハンドル取付台に形成された前記複数の位置合わせ穴の第１の穴に係合する少なくとも部分的に回外の位置と、前記第１位置合わせピンが前記第１ハンドル取付台に形成された前記複数の位置合わせ穴の第２の穴に係合し、かつ、前記第２位置合わせピンが前記第２ハンドル取付台に形成された前記複数の位置合わせ穴の第２の穴に係合する中立位置と、そして、前記第１位置合わせピンが前記第１ハンドル取付台に形成された前記複数の位置合わせ穴の第３の穴に係合し、かつ、前記第２位置合わせピンが前記第２ハンドル取付台に形成された前記複数の位置合わせ穴の第３の穴に係合する少なくとも部分的に回内の位置と、の間で調節可能である。
【００１４】
いくつかの非限定的実施例において、前記第１ハンドルと前記第２ハンドルとは、更に、前記第１位置合わせピンが前記第１ハンドル取付台に形成された前記複数の位置合わせ穴の第４の穴に係合し、かつ、前記第２位置合わせピンが前記第２ハンドル取付台に形成された前記複数の位置合わせ穴の第４の穴に係合する完全回内位置との間で調節可能である。
【００１５】
いくつかの非限定的実施例において、前記ケーブルアタッチメントハンドルは、更に、前記第１ハンドル取付台から延出するとともに前記主取り付けボディに形成された第１の複数の位置合わせ穴のいずれかに取り外し可能に係合するように構成された第１位置合わせピンと、前記第２ハンドル取付台から延出するとともに前記主取り付けボディに形成された第２の複数の位置合わせ穴のいずれかに取り外し可能に係合するように構成された第２位置合わせピンとを有する。前記第１位置合わせピンを前記第１複数の位置合わせ穴のいずれか係合することによって、前記第１ハンドル取付台の前記主取り付けボディに対する相対回転が阻止される。前記第２位置合わせピンを前記第２複数の位置合わせ穴のいずれか係合することによって、前記第２ハンドル取付台の前記主取り付けボディに対する相対回転が阻止される。  
【００１６】
いくつかの非限定的実施例において、前記第１ハンドルと第２ハンドルとは、前記第１位置合わせピンが前記主取り付けボディに形成された前記第１の複数の位置合わせ穴の第１の穴に係合し、かつ、前記第２位置合わせピンが前記主取り付けボディに形成された前記第２の複数の位置合わせ穴の第１の穴に係合する回外位置と、前記第１位置合わせピンが前記主取り付けボディに形成された前記第１の複数の位置合わせ穴の第２の穴に係合し、かつ、前記第２位置合わせピンが前記主取り付けボディに形成された前記第２の複数の位置合わせ穴の第２の穴に係合する中立位置と、そして、前記第１位置合わせピンが前記主取り付けボディに形成された前記第１の複数の位置合わせ穴の第３の穴に係合し、かつ、前記第２位置合わせピンが前記主取り付けボディに形成された前記第２の複数の位置合わせ穴の第３の穴に係合する回内位置と、の間で調節可能である。
【００１７】
いくつかの非限定的実施例において、前記第１ハンドルと前記第２ハンドルとは、更に、前記第１位置合わせピンが前記第１ハンドル取付台に形成された前記複数の位置合わせ穴の第４の穴に係合し、かつ、前記第２位置合わせピンが前記第２ハンドル取付台に形成された前記複数の位置合わせ穴の第４の穴に係合する完全回外位置との間で調節可能である。
【００１８】
いくつかの非限定的実施例において、前記第１ハンドルは、前記第１ハンドル取付台に取り外し可能に取り付けられ、そして、前記第２ハンドルは、前記第２ハンドル取付台に取り外し可能に取り付けられている。
【００１９】
いくつかの非限定的実施例において、前記第１ハンドルと前記第２ハンドルのそれぞれは、長手軸心を有する支柱と、当該支柱からこの支柱の長手軸心に対して平行な平面に沿って延出するパドル、とを有する。
【００２０】
いくつかの非限定的実施例において、前記ケーブルアタッチメントハンドルは、更に、前記第１及び第２ハンドルのそれぞれを、前記第１及び第２ハンドル取付台、にそれぞれ固定する単数または複数の固定具を有する。
【００２１】
いくつかの非限定的実施例において、前記単数または複数の固定具は、前記第１及び第２ハンドルが前記支柱の前記長手軸心に対して平行な軸心回りで回転することを阻止するべく互いに離間した二つ以上の固定具を含む。
【００２２】
いくつかの非限定的実施例において、前記パドルは、前記主取り付けボディの前記水平軸心に対して垂直なパドル軸心に対して約１０度ないし約３０度の角度で前記支柱から延出している。
【００２３】
いくつかの非限定的実施例において、前記第１支柱と前記第２支柱とのそれぞれは、前記主取り付けボディの前記水平軸心に沿ってスライド可能である。
【００２４】
いくつかの非限定的実施例において、前記第１支柱と前記第２支柱とのそれぞれは、前記主取り付けボディの前記水平軸心に沿った複数の位置のいずれかにおいて固定可能である。
【００２５】
本発明の他の非限定的実施例は、エクササイズマシン用のケーブルアタッチメントハンドルに関し、これは、水平軸心を形成する主取り付けボディと、当該主取り付けボディに対して回転可能な第１ハンドル取付台と、前記主取り付けボディから延出する第１ハンドルと、前記主取り付けボディに対して回転可能な第２ハンドル取付台と、前記第２ハンドル取付台から延出する第２ハンドルと、そして、前記第１スタッドと前記第２スタッドとの間で前記主取り付けボディに対して固定されたケーブルアタッチメント部材、とを有する。
【００２６】
いくつかの非限定的実施例において、前記第１ハンドルと前記第２ハンドルのそれぞれは、長手軸心を有する支柱と、当該支柱からこの支柱の長手軸心に対して平行な平面に沿って延出するパドル、とを有する。
【００２７】
いくつかの非限定的実施例において、前記パドルは、前記主取り付けボディの前記水平軸心に対して垂直なパドル軸心に対して約１０度ないし約３０度の角度で前記支柱から延出している。
【００２８】
いくつかの非限定的実施例において、前記ケーブルアタッチメントハンドルは、更に、前記主取り付けボディから延出するとともに前記第１ハンドル取付台に形成された複数の位置合わせ穴のいずれかに取り外し可能に係合するように構成された第１位置合わせピンと、前記主取り付けボディから延出するとともに前記第２ハンドル取付台に形成された複数の位置合わせ穴のいずれかに取り外し可能に係合するように構成された第２位置合わせピンとを有する。前記第１位置合わせピンを前記第１ハンドル取付台に形成された複数の位置合わせ穴のいずれか係合することによって、前記第１ハンドル取付台の前記主取り付けボディに対する相対回転が阻止される。前記第２位置合わせピンを前記第２ハンドル取付台に形成された複数の位置合わせ穴のいずれか係合することによって、前記第２ハンドル取付台の前記主取り付けボディに対する相対回転が阻止される。    
【００２９】
いくつかの非限定的実施例において、前記第１ハンドルと第２ハンドルとは、前記第１位置合わせピンが前記第１ハンドル取付台に形成された前記複数の位置合わせ穴の第１の穴に係合し、かつ、前記第２位置合わせピンが前記第２ハンドル取付台に形成された前記複数の位置合わせ穴の第１の穴に係合する少なくとも部分的に回外の位置と、前記第１位置合わせピンが前記第１ハンドル取付台に形成された前記複数の位置合わせ穴の第２の穴に係合し、かつ、前記第２位置合わせピンが前記第２ハンドル取付台に形成された前記複数の位置合わせ穴の第２の穴に係合する中立位置と、そして、前記第１位置合わせピンが前記第１ハンドル取付台に形成された前記複数の位置合わせ穴の第３の穴に係合し、かつ、前記第２位置合わせピンが前記第２ハンドル取付台に形成された前記複数の位置合わせ穴の第３の穴に係合する少なくとも部分的に回内の位置と、の間で調節可能である。本発明のその他の実施例について以下、番号付きの項において記載する。
【００３０】
項１：エクササイズマシン用のケーブルアタッチメントハンドルであって、水平軸心を形成する主取り付けボディと、当該主取り付けボディから延出する第１スタッドと、当該第１スタッド回りで回転可能な第１ハンドル取付台と、当該第１ハンドル取付台から延出する第１ハンドルと、前記主取り付けボディから延出する第２スタッドと、当該第２スタッド回りで回転可能な第２ハンドル取付台と、当該第２ハンドル取付台から延出する第２ハンドルと、前記第１スタッドと第２スタッドの間で前記主取り付けボディに固定されたケーブルアタッチメント部材、とを有する。
【００３１】
項２：項１のケーブルアタッチメントハンドルであって、前記第１ハンドルは、前記第１スタッドに対して実質的に垂直に延出し、前記第２ハンドルは前記第２スタッドに対して実質的に垂直に延出している。
【００３２】
項３：項１または２のケーブルアタッチメントハンドルであって、更に、前記主取り付けボディから延出するとともに前記第１ハンドル取付台に形成された複数の位置合わせ穴のいずれかに取り外し可能に係合するように構成された第１位置合わせピンと、前記主取り付けボディから延出するとともに前記第２ハンドル取付台に形成された複数の位置合わせ穴のいずれかに取り外し可能に係合するように構成された第２位置合わせピンとを有し、ここで、前記第１位置合わせピンを前記第１ハンドル取付台に形成された複数の位置合わせ穴のいずれか係合することによって、前記第１ハンドル取付台の前記主取り付けボディに対する相対回転が阻止され、そして、前記第２位置合わせピンを前記第２ハンドル取付台に形成された複数の位置合わせ穴のいずれか係合することによって、前記第２ハンドル取付台の前記主取り付けボディに対する相対回転が阻止される。    
【００３３】
項４：項１−３のいずれかのケーブルアタッチメントハンドルであって、前記第１ハンドルと第２ハンドルとは、前記第１位置合わせピンが前記第１ハンドル取付台に形成された前記複数の位置合わせ穴の第１の穴に係合し、かつ、前記第２位置合わせピンが前記第２ハンドル取付台に形成された前記複数の位置合わせ穴の第１の穴に係合する少なくとも部分的に回外の位置と、前記第１位置合わせピンが前記第１ハンドル取付台に形成された前記複数の位置合わせ穴の第２の穴に係合し、かつ、前記第２位置合わせピンが前記第２ハンドル取付台に形成された前記複数の位置合わせ穴の第２の穴に係合する中立位置と、そして、前記第１位置合わせピンが前記第１ハンドル取付台に形成された前記複数の位置合わせ穴の第３の穴に係合し、かつ、前記第２位置合わせピンが前記第２ハンドル取付台に形成された前記複数の位置合わせ穴の第３の穴に係合する少なくとも部分的に回内の位置と、の間で調節可能である。
【００３４】
項５：項１−４のいずれかのケーブルアタッチメントハンドルであって、前記第１ハンドルと前記第２ハンドルとは、更に、前記第１位置合わせピンが前記第１ハンドル取付台に形成された前記複数の位置合わせ穴の第４の穴に係合し、かつ、前記第２位置合わせピンが前記第２ハンドル取付台に形成された前記複数の位置合わせ穴の第４の穴に係合する完全回内位置との間で調節可能である。
【００３５】
項６：項１−５のいずれかのケーブルアタッチメントハンドルであって、更に、前記第１ハンドル取付台から延出するとともに前記主取り付けボディに形成された第１の複数の位置合わせ穴のいずれかに取り外し可能に係合するように構成された第１位置合わせピンと、前記第２ハンドル取付台から延出するとともに前記主取り付けボディに形成された第２の複数の位置合わせ穴のいずれかに取り外し可能に係合するように構成された第２位置合わせピンとを有し、ここで、前記第１位置合わせピンを前記第１の複数の位置合わせ穴のいずれか係合することによって、前記第１ハンドル取付台の前記主取り付けボディに対する相対回転が阻止され、そして、前記第２位置合わせピンを前記第２の複数の位置合わせ穴のいずれか係合することによって、前記第２ハンドル取付台の前記主取り付けボディに対する相対回転が阻止される。      
【００３６】
項７：項１−６のいずれかのケーブルアタッチメントハンドルであって、前記第１ハンドルと第２ハンドルとは、前記第１位置合わせピンが前記第１ハンドル取付台に形成された前記第１の複数の位置合わせ穴の第１の穴に係合し、かつ、前記第２位置合わせピンが前記第２ハンドル取付台に形成された前記第２の複数の位置合わせ穴の第１の穴に係合する回外位置と、前記第１位置合わせピンが前記第１ハンドル取付台に形成された前記第１の複数の位置合わせ穴の第２の穴に係合し、かつ、前記第２位置合わせピンが前記第２ハンドル取付台に形成された前記第２の複数の位置合わせ穴の第２の穴に係合する中立位置と、そして、前記第１位置合わせピンが前記第１ハンドル取付台に形成された前記第１の複数の位置合わせ穴の第３の穴に係合し、かつ、前記第２位置合わせピンが前記第２ハンドル取付台に形成された前記第２の複数の位置合わせ穴の第３の穴に係合する回内位置と、の間で調節可能である。
【００３７】
項８：項１−７のいずれかのケーブルアタッチメントハンドルであって、前記第１ハンドルと前記第２ハンドルとは、更に、前記第１位置合わせピンが前記第１ハンドル取付台に形成された前記複数の位置合わせ穴の第４の穴に係合し、かつ、前記第２位置合わせピンが前記第２ハンドル取付台に形成された前記複数の位置合わせ穴の第４の穴に係合する完全回外位置との間で調節可能である。
【００３８】
項９：項１−８のいずれかのケーブルアタッチメントハンドルであって、前記第１ハンドルは、前記第１ハンドル取付台に取り外し可能に取り付けられ、そして、前記第２ハンドルは、前記第２ハンドル取付台に取り外し可能に取り付けられている。
【００３９】
項１０：項１−９のいずれかのケーブルアタッチメントハンドルであって、前記第１ハンドルと前記第２ハンドルとは、それぞれ、長手軸心を有する支柱と、当該支柱からこの支柱の長手軸心に対して平行な平面に沿って延出するパドル、とを有する。
【００４０】
項１１：項１−１０のいずれかのケーブルアタッチメントハンドルであって、
更に、前記第１及び第２ハンドルのそれぞれを、前記第１及び第２ハンドル取付台、にそれぞれ固定する単数または複数の固定具を有する。
【００４１】
項１２：項１−１１のいずれかのケーブルアタッチメントハンドルであって、
前記単数または複数の固定具は、前記第１及び第２ハンドルが前記支柱の前記長手軸心に対して平行な軸心回りで回転することを阻止するべく互いに離間した二つ以上の固定具を含む。
【００４２】
項１３：項１−１２のいずれかのケーブルアタッチメントハンドルであって、前記パドルは、前記主取り付けボディの前記水平軸心に対して垂直なパドル軸心に対して約１０度ないし約３０度の角度で前記支柱から延出している。
【００４３】
項１４：項１−１３のいずれかのケーブルアタッチメントハンドルであって、前記第１支柱と前記第２支柱とのそれぞれは、前記主取り付けボディの前記水平軸心に沿ってスライド可能である。
【００４４】
項１５：項１−１４のいずれかのケーブルアタッチメントハンドルであって、前記第１支柱と前記第２支柱とのそれぞれは、前記主取り付けボディの前記水平軸心に沿った複数の位置のいずれかにおいて固定可能である。
【００４５】
項１６：エクササイズマシン用のケーブルアタッチメントハンドルであって、水平軸心を形成する主取り付けボディと、当該主取り付けボディに対して回転可能な第１ハンドル取付台と、前記主取り付けボディから延出する第１ハンドルと、前記主取り付けボディに対して回転可能な第２ハンドル取付台と、前記第２ハンドル取付台から延出する第２ハンドルと、そして、前記第１スタッドと前記第２スタッドとの間で前記主取り付けボディに対して固定されたケーブルアタッチメント部材、とを有する。
【００４６】
項１７：項１６のケーブルアタッチメントハンドルであって、前記第１ハンドルと前記第２ハンドルとは、長手軸心を有する支柱と、当該支柱からこの支柱の長手軸心に対して平行な平面に沿って延出するパドル、とを有する。
【００４７】
項１８：項１６または１７のケーブルアタッチメントハンドルであって、前記パドルは、前記主取り付けボディの水平軸心に対して垂直なパドル軸心に対して約１０度ないし約３０度の角度で前記支柱から延出している。
【００４８】
項１９：項１６−１８のいずれかのケーブルアタッチメントハンドルであって、更に、前記主取り付けボディから延出するとともに前記第１ハンドル取付台に形成された複数の位置合わせ穴のいずれかに取り外し可能に係合するように構成された第１位置合わせピンと、前記主取り付けボディから延出するとともに前記第２ハンドル取付台に形成された複数の位置合わせ穴のいずれかに取り外し可能に係合するように構成された第２位置合わせピンとを有し、ここで、前記第１位置合わせピンを前記第１ハンドル取付台に形成された複数の位置合わせ穴のいずれか係合することによって、前記第１ハンドル取付台の前記主取り付けボディに対する相対回転が阻止され、そして前記第２位置合わせピンを前記第２ハンドル取付台に形成された複数の位置合わせ穴のいずれか係合することによって、前記第２ハンドル取付台の前記主取り付けボディに対する相対回転が阻止される。 
【００４９】
項２０：項１６−１９のいずれかのケーブルアタッチメントハンドルであって、前記第１ハンドルと第２ハンドルとは、前記第１位置合わせピンが前記第１ハンドル取付台に形成された前記複数の位置合わせ穴の第１の穴に係合し、かつ、前記第２位置合わせピンが前記第２ハンドル取付台に形成された前記複数の位置合わせ穴の第１の穴に係合する少なくとも部分的に回外の位置と、前記第１位置合わせピンが前記第１ハンドル取付台に形成された前記複数の位置合わせ穴の第２の穴に係合し、かつ、前記第２位置合わせピンが前記第２ハンドル取付台に形成された前記複数の位置合わせ穴の第２の穴に係合する中立位置と、そして、前記第１位置合わせピンが前記第１ハンドル取付台に形成された前記複数の位置合わせ穴の第３の穴に係合し、かつ、前記第２位置合わせピンが前記第２ハンドル取付台に形成された前記複数の位置合わせ穴の第３の穴に係合する少なくとも部分的に回内の位置と、の間で調節可能である。
【００５０】
前記マルチハンドアングルケーブルアタッチメントのこれら及びその他の特徴及び特性は、それらすべてが本明細書の一部を形成し、種々の図面において類似番号によって対応のパーツが示されている添付の図面を参照して以下の記載と添付の請求項とを考慮することによってより明らかになるであろう。但し、図面は例示と説明の目的のためのものであって、本開示の限定を定義するものと意図されたものではない。明細書及び請求項での使用において、単数形“ａ”，“ａｎ”や“ｔｈｅ”は、特に銘記されない限り複数を含むものである。
【図面の簡単な説明】
【００５１】
【図１】本発明の非限定的実施例によるケーブルアタッチメントハンドルの分解斜視図である。
【図２】回外グリップ位置で図１のケーブルアタッチメントハンドルを使用しているユーザの斜視図である。
【図３】中立位置で図１のケーブルアタッチメントハンドルを使用しているユーザの斜視図である。
【図４】回内グリップ位置で図１のケーブルアタッチメントハンドルを使用しているユーザの斜視図である。
【図５Ａ】部分回外グリップ位置にある図１のケーブルアタッチメントハンドルの実施例の後方図である。
【図５Ｂ】部分回外グリップ位置にある図１のケーブルアタッチメントハンドルの実施例の後方図である。
【図６Ａ】中立グリップ位置にある図１のケーブルアタッチメントハンドルの実施例の後方図である。
【図６Ｂ】中立グリップ位置にある図１のケーブルアタッチメントハンドルの実施例の後方図である。
【図７Ａ】部分回内グリップ位置にある図１のケーブルアタッチメントハンドルの実施例の後方図である。
【図７Ｂ】部分回内グリップ位置にある図１のケーブルアタッチメントハンドルの実施例の後方図である。
【図８】本発明の別の非限定的実施例によるケーブルアタッチメントハンドルの分解斜視図である。
【図９Ａ】部分回外グリップ位置にある図８のケーブルアタッチメントハンドルの実施例の後方図である。
【図９Ｂ】中立グリップ位置にある図８のケーブルアタッチメントハンドルの実施例の後方図である。
【図９Ｃ】部分回内グリップ位置にある図８のケーブルアタッチメントハンドルの実施例の後方図である。
【図９Ｄ】完全回外グリップ位置にある図８のケーブルアタッチメントハンドルの実施例の後方図である。
【図１０Ａ】本発明の非限定的実施例によるケーブルアタッチメントハンドルの上面図である。
【図１０Ｂ】本発明の非限定的実施例によるケーブルアタッチメントハンドルの上面図である。
【図１０Ｃ】本発明の非限定的実施例によるケーブルアタッチメントハンドルの上面図である。
【図１１】本発明のケーブルアタッチメントハンドルの別実施例の前方斜視図である。
【図１２】図１１のケーブルアタッチメントハンドルの後方斜視図である。
【発明を実施するための形態】
【００５２】
以後の説明の目的のために、用語、「上方」、「下方」、「右側」、「左側」、「垂直」、「水平」、「頂部」、「底部」、「側方」、「長手」、およびこれらの派生語は、図面における向きで本開示に関連するものとされる。但し、本開示は、特に明記されない限り、様々な代替のバリエーション及び工程順序をとりうるものであると理解される。また、添付の図面に図示され、以下の明細書中に記載された具体的な装置及び方法は、単に本開示の例示的態様に過ぎないとも理解される。したがって、ここに開示されている態様に関連する具体的な寸法及びその他の物理的特徴は限定的なものとして解釈されてはならない。
【００５３】
以後の使用において、用語「実質的に平行」とは、平行に対してプラスマイナス５度の範囲内であることを意味する。以後の使用において、用語「約」とは、その記載された角度測定との関連での使用において、記載角度測定値のプラスマイナス５度を意味する。例えば、「約３０度」とは、「３０度プラスマイナス５度」、又は「２５度ないし３５度」を意味する。
【００５４】
以後の使用において、用語「回外」及びその派生語は一対の要素が垂直方向において互いから少なくとも部分的に離間して向く配置を意味する。例えば、第１線分と、それと同じ長さで同じ垂直平面に位置する第２線分が、第１線分の基部と第２線分の基部との間の距離が、第１線分の頂部と第２線分の頂部との間の距離よりも小さい場合に、それらを「回外」と称することができる。人の手の場合、その手の平が少なくとも部分的に上に向いているように位置している場合、「回外」と称することができる。
【００５５】
以後の使用において、用語「回内」及びその派生語は一対の要素が垂直方向において少なくとも部分的に互いに向かっている配置を意味する。例えば、第１線分と、それと同じ長さで同じ垂直平面に位置する第２線分が、第１線分の基部と第２線分の基部との間の距離が、第１線分の頂部と第２線分の頂部との間の距離よりも大きい場合に、それらを「回内」と称することができる。人の手の場合、その手の平が少なくとも部分的に下に向いているように位置している場合、「回内」と称することができる。
【００５６】
以後の使用において、用語「中立」及びその派生語は一対の要素が垂直方向において互いに平行である配置を意味する。例えば、第１線分と、それと同じ長さで同じ平面に位置する第２線分が、これら線分が実質的に平行である場合に、「中立」と称することができる。人の手の場合、その手の平が実質的に左方向または右方向に面している場合に、「中立」と称することができる。
【００５７】
ここでの使用において、用語「少なくとも一つの」とは、「単数または複数の」を意味する。例えば、「Ａ，Ｂ及びＣの少なくとも一つ」という文言は、Ａ，Ｂ及びＣの少なくともいずれか一つ、Ａ，Ｂ及びＣのいずれか二つ以上の任意の組み合わせ、を意味する。例えば、「Ａ，Ｂ及びＣの少なくとも一つ」は、一つ以上のＡのみ、一つ以上のＢのみ、一つ以上のＣのみ、又は、一つ以上のＡと一つ以上のＢ、又は、一つ以上のＡと一つ以上のＣ、又は、一つ以上のＢと一つ以上のＣ、又は、一つ以上のＡ，Ｂ及びＣを含む。同様に、ここでの使用において、用語「少なくとも二つの」とは、「二つ以上」と同義である。例えば、「Ｄ，Ｅ及びＦの少なくとも二つ」とは、一つ以上のＤと一つ以上のＥ、一つ以上のＤと一つ以上のＦ、または、一つ以上のＥと一つ以上のＦ、又はＤ，Ｅ及びＦすべての一つ以上、を含む。
【００５８】
本開示は、一般に、エクササイズ又はウエイトマシン用のアタッチメントハンドル、より詳しくは、ユーザがそのハンドル上での自分のグリップ位置を変更することを可能にする、ケーブルエクササイズマシン用の調節可能アタッチメントハンドル、に関する。
【００５９】
次に図１−４を参照すると、本発明の実施例による、複数のグリップ位置間で調節可能なケーブルアタッチメントハンドル１００が図示されている。当該ケーブルアタッチメントハンドル１００は、当該ケーブルアタッチメントハンドル１００をエクササイズマシンのケーブル３００に接続するためのケーブルアタッチメント部材１２を備える主取り付けボディ１０を有する。前記ケーブルアタッチメント部材１２は、ユーザ２００が当該ケーブルアタッチメントハンドル１００を引っ張る時に、このユーザ２００のそれぞれの手にかかる負荷を均等化するために、二つのハンドル５０のほぼ中間点に位置している。前記ケーブルアタッチメント部材１２は、前記ケーブルアタッチメントハンドル１００と前記ケーブル３００との取り外し可能な接続用のシャックル又はクリップとすることができる。前記ケーブルアタッチメント部材１２は、又、前記ケーブル３００との接続用に適した当該技術において知られている任意の接続装置のいずれかとすることも可能である。
【００６０】
前記ケーブルアタッチメントハンドル１００は、前記主取り付けボディ１０から延出する各スタッド１１回りで回転可能に配置された二つのハンドル取付台２０を有する。前記スタッド１１のそれぞれは、各ハンドル取付台２０の穴２１を通ることができ、それによって、トルクノブ３０を前記スタッドに固定してハンドル取付台２０を前記主取り付けボディ１０に対して固定することができる。各スタッド１１の端部に形成されたテーパ穴に、ストップボルト４０をネジ込んで、トルクノブ３０がスタッド１１から抜けることを防止することができる。これにより、ユーザ２００によってトルクノブ３０を回転させて、ハンドル取付台２０を前記主取り付けボディ１０から緩めて、それにより、ハンドル取付台２０を主取り付けボディ１０に対して回転させることができる。しかしながら、前記ストップボルト４０の存在により、通常の作動中においてはトルクノブ３０をスタッド１１から完全に接続解除することはできない。
【００６１】
各ハンドル５０は、前記ハンドル取付台２０の一方に対して取り付けられているか、又は一体である。各ハンドル５０は、前記各スタッド１１の軸心に対して実質的に垂直とすることができる長手軸心５５を有する支柱５１を有する。いくつかの実施例において、各ハンドルは、前記支柱５１の前記長手軸心５５に対して実質的に平行な平面に沿って前記支柱５１に沿って延出するパドル５２を備えることができる。前記ケーブルアタッチメントハンドル１００を使用するには、ユーザは、各手の単数または複数の指を各支柱５１の回りに回して、各手の平を各パドル５２に対して載置することができる。
【００６２】
いくつかの実施例において、各ハンドル５０は、各ハンドル取付台２０から取り外すことができ、これによって、ハンドル５０が損傷又は摩耗した時にこれを交換することが可能である。例えば前記ハンドル５０は、使用と共に劣化するゴムまたはフォームを有するかもしれず、したがって、ハンドル５０の交換が必要となる。そのような実施例において、各ハンドル５０は、ボルト又はネジ等の単数または複数の固定具５３を介して各ハンドル取付台２０に固定することができる。これら単数または複数の固定具５３は、前記支柱５１の前記長手軸心５５に対して平行な軸心回りでの、ハンドル５０の回転を防止するべく、互いから離間する二つ以上の固定具５３を含むことができる。
【００６３】
前記主取り付けボディ１０は、そのそれぞれが前記ハンドル取付台２０の一つに対応する単数または複数のアタッチメントピン１３を有している。各ハンドル取付台２０に対応する前記位置合わせピン１３は、前記主取り付けボディ１０から同じハンドル取付台２０に対応する前記スタッド１１に対して実質的に平行に延出している。前記位置合わせピン１３は、対応のハンドル取付台２０に形成された複数の位置合わせ穴２２ａ−２２ｃの任意の一つに係合するように構成されている。前記複数の位置合わせ穴２２ａ−２２ｃは、前記ハンドル取付台２０上において、前記対応のスタッド１１に一致する中心点を有する円弧状に配置され、これにより、前記複数の位置合わせ穴２２ａ−２２ｃは、前記スタッド１１から等距離に位置する。したがって、前記ハンドル取付台２０を、前記対応のスタッド１１の回りで回転させて、前記複数の位置合わせ穴２２ａ−２２ｃのいずれか一つを前記位置合わせピン１３と位置合わせすることができる。前記位置合わせピン１３を前記複数の位置合わせ穴２２ａ−２２ｃのいずれかと係合することによって、前記主取り付けボディ１０に対する前記ハンドル取付台２０の回転を阻止する物理的障害が作り出される。
【００６４】
前記複数の位置合わせ穴２２ａ−２２ｃは、複数の位置間でのハンドル５０の調節を容易にする。ハンドル５０位置を調節するためには、ユーザ２００は、先ず、前記トルクノブ３０を緩め、これによってハンドル取付台２０は前記スタッド１１の軸心に沿って前記主取り付けボディ１０から分離可能となり、ハンドル取付台２０の主取り付けボディ１０に対する自由回転を可能にすることができる。次に、ユーザ２００は、前記ハンドル取付台２０を回転させて、前記複数の位置合わせ穴２２ａ−２２ｃの所望の一つを前記位置合わせピン１３と位置合わせさせる。これにより、ハンドル取付台２０は、前記スタッド１１の軸心に沿って、前記主取り付けボディ１０に向けて移動可能となり、前記位置合わせピン１３を前記複数の位置合わせ穴２２ａ−２２ｃのいずれか一つに係合させる。次に、ユーザ２００は、前記トルクノブ３０を前記ハンドル取付台２０に対して締め付け、ハンドル取付台２０が主取り付けボディ１０から分離することを防止する。
【００６５】
次に図２−４を参照すると、ユーザ２００と前記ケーブルアタッチメントハンドル１００とが、前記複数の位置合わせ穴２２ａ−２２ｃのそれぞれに対応する種々のグリップ位置にある状態が図示されている。図２は、前記位置合わせピン１３が前記複数の位置合わせ穴２２ａ−２２ｃのうちの第１位置合わせ穴２２ａに係合する部分回外グリップ位置を図示している。この部分回外位置においては、前記ハンドル５０は、垂直軸心Ｖから外向きに回転可能であり、これにより、ユーザ２００の手の平は、少なくとも部分的に上向きになる。
【００６６】
図３は、前記位置合わせピン１３が前記複数の位置合わせ穴２２ａ−２２ｃのうちの第２位置合わせ穴２２ｂに係合する中立グリップ位置を図示している。当該中立位置において、ハンドル５０は、垂直軸心Ｖに対して実質的に平行となり、ユーザ２００の両手の平は実質的に互いに向く。
【００６７】
図４は、前記位置合わせピン１３が前記複数の位置合わせ穴２２ａ−２２ｃのうちの第３位置合わせ穴２２ｃに係合する部分回内位置を図示している。当該部分回内位置において、ハンドル５０は、垂直軸心Ｖから内向きに回転することができ、それによってユーザ２００の両手の平は、少なくとも部分的に下向きになる。
【００６８】
前記位置合わせピン１３の前記複数の位置合わせ穴２２ａ−２２ｃのうちの所望の一つとの係合によって、ケーブルアタッチメントハンドル１００を、前記回外、中立及び、回内グリップ位置のいずれかでロックするので、ユーザ２００は、エクササイズ運動を実行中に、ハンドル５０を安定化すること、又は、グリップ位置を維持するためにエネルギを割り当てること、を要求されない。したがって、ケーブルアタッチメントハンドル１００に対してユーザ２００が加える力の全部をエクササイズ運動に向けることができ、エクササイズ運動を行う時にユーザ２００が所望の運動面を失うリスクがない。更に、前記回外、中立及び回内グリップ位置が複数の位置合わせ穴２２ａ−２２ｃの固定された位置によって形成されるので、ユーザ２００がケーブルアタッチメントハンドル１００のハンドル５０を不適切な方向に向けるリスクがない。
【００６９】
前記部分回外、中立、部分回内グリップ位置は図５Ａ−７Ｂにより詳細に図示されている。図５Ａ−５Ｂに図示されている前記部分回外グリップ位置において、前記ハンドル５０を回外角Ａで前記垂直軸心Ｖから外側に回転させることができる。エクササイズ運動の動きの範囲全体を通して上腕二頭筋の動きと快適性を最適化するためには、前記回外角度Ａは、約３３度とすることができる。図６Ａ−６Ｂに図示の前記中立位置において、前記ハンドル５０は、腕神経筋の動きを最適化するために、前記垂直軸心Ｖに対して実質的に平行にすることができる。図７Ａ−７Ｂに図示の前記回内グリップ位置において、前記ハンドル５０は、回内角度Ｂで前記垂直軸心Ｖ回りで内側に回転させることができる。エクササイズ運動の動きの範囲全体を通して上腕筋の動きと快適性を最適化するためには、前記回内角度Ｂは、約４５度とすることができる。個々のユーザ２００の快適性のために、あるいは、上腕二頭筋、上腕筋及び上腕筋の動きを所望のものに変化させるために、前記回外角度Ａと前記回内角度Ｂに別の値を選択することも可能である。
【００７０】
図５Ａ−７Ｂは、又、前記ハンドル取付台２０とハンドル５０との、前記主取り付けボディ１０の前記水平軸心Ｈに沿った種々の側方間隔も図示している。図５Ａ，  ６Ａ及び７Ａは、前記スタッド１１が、例えば６インチとすることができる、第１距離Ｄ１、だけ前記主取り付けボディ１０の前記水平軸心Ｈに沿って互いに離間するナローグリップ配置を図示している。図５Ｂ，  ６Ｂ及び７Ｂは、前記スタッド１１が、例えば１４インチとすることができる、第２距離Ｄ２、だけ前記主取り付けボディ１０の前記水平軸心Ｈに沿って互いに離間するワイドグリップ配置を図示している。但し、前記スタッド１１間の適当な間隔は、例えば、６インチから２８インチの間の任意のものとすることができる。
【００７１】
三つのグリップ位置、すなわち、部分回外、中立及び部分回内、位置が図２−７Ｂに図示されているが、各ハンドル取付台２０には、追加のグリップ位置を可能にするべく追加の位置合わせ穴を設けることができる。図８−９Ｄは、各ハンドル取付台２０が、ハンドル取付台２０の主取り付けボディ１０に対する４つのグリップ位置への回転を容易にするために４つの位置合わせ穴２２ａ−２２ｄを備える前記ケーブルアタッチメント１００の別の非限定的実施例を図示している。図８−９Ｄに図示の実施例の特徴は、図１−７Ｂに図示の実施例の特徴と概して類似しているので、相違点のみについて説明する。図８に図示されているように、前記４つの位置合わせ穴２２ａ−２２ｄは、これら４つの位置合わせ穴２２ａ−２２ｄのそれぞれが前記スタッド１１から等距離である円弧状に配置されている。図１−７Ｂの実施例と同様に、前記ハンドル取付台２０は、前記４つの位置合わせ穴２２ａ−２２ｄのうちの任意のものを前記位置合わせピン１３と位置合わせするべく前記スタッド１１回りで回転可能である。
【００７２】
図９Ａ−９Ｄは、前記４つの位置合わせ穴２２ａ−２２ｄのそれぞれに対応する種々のグリップ位置に配置されたハンドル取付台２０を図示している。図９Ａにおいて、ハンドル取付台２０は、図５Ａ−５Ｂの前記部分回外位置と類似の、部分回外位置にある状態で図示されている。前記支柱５１の前記長手軸心５５の前記垂直軸心Ｖに対する前記回外角度Ａは、例えば、３３度とすることができる。この部分回外位置において、前記位置合わせピン１３は、前記４つの位置合わせ穴２２ａ−２２ｄのうちの第１位置合わせ穴２２ａと係合することができる。
【００７３】
図９Ｂにおいて、ハンドル取付台２０は、図６Ａ−６Ｂの前記中立位置と類似の、中立位置にある状態で図示されている。前記支柱５１の長手軸心５５は、前記垂直軸心Ｖに対して実質的に平行に向けることができる。当該中立位置において、前記位置合わせピン１３は、前記４つの位置合わせ穴２２ａ−２２ｄのうちの第２位置合わせ穴２２ｂと係合することができる。
【００７４】
図９Ｃにおいて、ハンドル取付台２０は、図７Ａ−７Ｂの前記部分回内位置と類似の、部分回内位置にある状態で図示されている。前記支柱５１の前記長手軸心５５の前記垂直軸心Ｖに対する前記回内角度Ｂは、例えば、４５度とすることができる。この部分回内位置において、前記位置合わせピン１３は、前記４つの位置合わせ穴２２ａ−２２ｄのうちの第３位置合わせ穴２２ｃと係合することができる。
【００７５】
図９Ｄにおいて、ハンドル取付台２０は、完全回内位置にある状態で図示されている。前記支柱５１の前記長手軸心５５の前記垂直軸心Ｖに対する前記回内角度Ｂは、例えば、９０度とすることができる。この完全回内位置において、前記位置合わせピン１３は、前記４つの位置合わせ穴２２ａ−２２ｄのうちの第４位置合わせ穴２２ｄと係合することができる。
【００７６】
図５Ａ−７Ｂを参照して上述したように、前記ケーブルアタッチメントハンドル１００の非限定的実施例は、様々な幅、すなわち、異なる筋肉グループを動かすためおよび／または異なるエクササイズ運動中に、両スタッド１１間の、前記距離Ｄ１，Ｄ２、を有することができる。次に図１０Ａ−１０Ｃを参照すると、それぞれ、両スタッド１１間の第１距離Ｄ１、両スタッド１１間の第２距離Ｄ２、両スタッド１１間の第３距離Ｄ３、を有する前記ケーブルアタッチメントハンドル１００の実施例が図示されている。前記第１距離Ｄ１と前記第２距離Ｄ２とは、図５Ａ−７Ｂを参照して上述したように、それぞれ、約６インチと約１４インチ、とすることができる。前記第３距離Ｄ３は、約２０インチとすることができる。但し、ケーブルアタッチメントハンドル１００の実施例のいずれにおける前記両スタッド１１間の前記距離Ｄ１，Ｄ２，Ｄ３は、エクササイズマシンとの使用に適した任意の距離にすることが可能であると理解される。
【００７７】
引き続き図１０Ａ−１０Ｃを参照すると、前記ケーブルアタッチメントハンドル１００は、前記ハンドル取付台２０に対して、前記パドル５２の表面と、前記主取り付けボディ１０の前記水平軸心Ｈに対して垂直なパドル軸心Ｐとの間の所望の手首固定角度Ｘを達成するように向けることができる。図１０Ａ−１０Ｃにおいて、当該手首固定角度Ｘを最も良く図示するべく、前記ケーブルアタッチメントハンドル１００は、前記中立グリップ位置、すなわち、前記支柱５１の長手軸心５５が前記垂直軸心Ｖに対して実質的に垂直に延出する、状態で図示されている。前記手首固定角度Ｘは、前記両スタッド１１間の前記距離Ｄ１，Ｄ２，Ｄ３に基づいてユーザの所望の手首位置を維持するように選択することができる。具体的には、前記パドル５２は、前記固定角度Ｘによってユーザが、当該ユーザの手の平がユーザの前腕に対して実質的に平行となる、直線状手首位置を維持することを誘導するように向けることができる。すなわち、前記固定角度Ｘは、ユーザの手首の曲げ及び／伸長、を制限するように選択することができる。実質的にまっすぐな手首位置を維持することによって、ユーザは、ケーブルアタッチメントハンドル１００に加えられる生体力を最大化し、不快感とケガのリスクを最小化することができる。
【００７８】
図１０Ａ−１０Ｃに図示されているように、実質的にまっすぐの手首位置を維持するのに必要な前記固定角度Ｘは、両スタッド１１間の前記距離Ｄ１，  Ｄ２，  Ｄ３に応じて、異なりうる。具体的には、両スタッド１１間の距離Ｄ１，  Ｄ２，  Ｄ３が大きければ大きいほど、実質的にまっすぐな手首位置を維持するために必要な固定角度Ｘは小さくなる。両スタッド１１間の距離Ｄ１，Ｄ２が、それぞれ約６インチと約１４インチである、図１０Ａ及び１０Ｂに図示のケーブルアタッチメントハンドル１００の実施例において、前記固定角度Ｘは、約２７度である。両スタッド１１間の距離Ｄ３が、約２０インチである、図１０Ｃに図示のケーブルアタッチメントハンドル１００の実施例において、前記固定角度Ｘは、約１２度である。他の非限定的実施例では、前記固定角度Ｘは、約１０度と約３０度の間とすることができる。
【００７９】
次に、図１１及び１２を参照すると、前記ケーブルアタッチメントハンドル１００のいくつかの実施例は、前記両ハンドル５０間の間隔の調節可能性を提供する。これらの実施例において、前記主取り付けボディ１０は、それらから前記両スタッド１１が延出する二つのスライド取付台１５を有している。これらスライド取付台１５は、前記水平軸心Ｈの方向で前記主取り付けボディ１０の静止部分に沿って移動するように構成されている。前記両ハンドル５０間の間隔は、ユーザ２００によって、各スライド取付台１５のピン１６が前記主取り付けボディ１０の前記静止部分に形成された複数のインデックス穴１７の一つと位置合わせするように、前記スライド取付台１５を移動させることによって設定することができる。その後、各スライド取付台１５の前記ピン１６を、複数のインデックス穴１７のうちの所望の一つに挿入することによって、これらスライド取付台１５をセット位置にロックすることができる。前記ピン１６は、前記スライド取付台１５を複数のインデックス穴１７の一つに側方に固定するための任意の適当な構造、例えば、バネ装填ポッパーピン、コッターピン、又はボルト、等とすることができる。
【００８０】
図面に図示されていない前記ケーブルアタッチメントハンドル１００の他の実施例において、前記位置合わせピン１３は前記ハンドル取付台２０上に位置させることができ、前記複数の位置合わせ穴２２ａ−２２ｃは、前記主取り付けボディ１０上に位置させることができる。その他の点では、前記ケーブルアタッチメントハンドル１００の操作と調節は、上述した実施例と同じである。同様に、ケーブルアタッチメントハンドル１００の他の実施例において、前記スタッド１１は、前記主取り付けボディ１０に形成された穴を通して前記各ハンドル取付台２０から延出することができる。当業者は、本発明の範囲内に属するとみなされる、前記スタッド１１、位置合わせピン１３及び複数の位置合わせ穴２２ａ−２２ｄ、を含む、種々のコンポーネントのための類似の別構成を理解することができる。
【００８１】
以上の説明において前記ケーブルアタッチメントハンドル１００の様々な態様を提供したが、当業者は、本発明の範囲及び要旨から逸脱することなく、これらの態様に対して改造及び変更を行うことが可能であることを理解するであろう。例えば、本開示は、可能な限りにおいて、任意の態様の単数または複数の特徴を別の態様の単数または複数の特徴に組み合わせ可能であると理解される。したがって、上記説明は、限定的ではなく例示的なものとして意図されている。以上に説明した本発明は、添付の請求項によって定義され、これら請求項の意味と均等範囲に属する本発明に対するすべての変更がそれらの範囲内に含まれる。
【図１】
2021505329.tif 000003
【図２】
2021505329.tif 000004
【図３】
2021505329.tif 000005
【図４】
2021505329.tif 000006
【図５Ａ】
2021505329.tif 000007
【図５Ｂ】
2021505329.tif 000008
【図６Ａ】
2021505329.tif 000009
【図６Ｂ】
2021505329.tif 000010
【図７Ａ】
2021505329.tif 000011
【図７Ｂ】
2021505329.tif 000012
【図８】
2021505329.tif 000013
【図９Ａ】
2021505329.tif 000014
【図９Ｂ】
2021505329.tif 000015
【図９Ｃ】
2021505329.tif 000016
【図９Ｄ】
2021505329.tif 000017
【図１０Ａ】
2021505329.tif 000018
【図１０Ｂ】
2021505329.tif 000019
【図１０Ｃ】
2021505329.tif 000020
【図１１】
2021505329.tif 000021
【図１２】
2021505329.tif 000022
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
エクササイズマシン用のケーブルアタッチメントハンドルであって、
水平軸心を形成する主取り付けボディと、
前記主取り付けボディから延出する第１スタッドと、
前記第１スタッド回りで回転可能な第１ハンドル取付台と、
前記第１ハンドル取付台から延出する第１ハンドルと、
前記主取り付けボディから延出する第２スタッドと、
前記第２スタッド回りで回転可能な第２ハンドル取付台と、
前記第２ハンドル取付台から延出する第２ハンドルと、
前記第１スタッドと第２スタッドの間で前記主取り付けボディに固定されたケーブルアタッチメント部材と、
前記主取り付けボディから延出するとともに前記第１ハンドル取付台に形成された複数の位置合わせ穴のいずれかに取り外し可能に係合するように構成された第１位置合わせピンと、
前記主取り付けボディから延出するとともに前記第２ハンドル取付台に形成された複数の位置合わせ穴のいずれかに取り外し可能に係合するように構成された第２位置合わせピンと、を有し、
前記第１位置合わせピンを前記第１ハンドル取付台に形成された複数の位置合わせ穴のいずれかに係合することによって、前記第１ハンドル取付台の前記主取り付けボディに対する相対回転が阻止され、
前記第２位置合わせピンを前記第２ハンドル取付台に形成された複数の位置合わせ穴のいずれかに係合することによって、前記第２ハンドル取付台の前記主取り付けボディに対する相対回転が阻止されるケーブルアタッチメントハンドル。
【請求項２】
前記第１ハンドルは、前記第１スタッドに対して実質的に垂直に延出し、
前記第２ハンドルは、前記第２スタッドに対して実質的に垂直に延出している請求項１に記載のケーブルアタッチメントハンドル。
【請求項３】
前記第１ハンドルと第２ハンドルとは、
前記第１位置合わせピンが前記第１ハンドル取付台に形成された前記複数の位置合わせ穴の第１の穴に係合し、かつ、前記第２位置合わせピンが前記第２ハンドル取付台に形成された前記複数の位置合わせ穴の第１の穴に係合する少なくとも部分的に回外の位置と、
前記第１位置合わせピンが前記第１ハンドル取付台に形成された前記複数の位置合わせ穴の第２の穴に係合し、かつ、前記第２位置合わせピンが前記第２ハンドル取付台に形成された前記複数の位置合わせ穴の第２の穴に係合する中立位置と、
前記第１位置合わせピンが前記第１ハンドル取付台に形成された前記複数の位置合わせ穴の第３の穴に係合し、かつ、前記第２位置合わせピンが前記第２ハンドル取付台に形成された前記複数の位置合わせ穴の第３の穴に係合する少なくとも部分的に回内の位置と、
の間で調節可能である請求項１に記載のケーブルアタッチメントハンドル。
【請求項４】
前記第１ハンドルと前記第２ハンドルとは、更に、
前記第１位置合わせピンが前記第１ハンドル取付台に形成された前記複数の位置合わせ穴の第４の穴に係合し、かつ、前記第２位置合わせピンが前記第２ハンドル取付台に形成された前記複数の位置合わせ穴の第４の穴に係合する完全回内位置と、
の間で調節可能である請求項１に記載のケーブルアタッチメントハンドル。
【請求項５】
前記第１ハンドル取付台から延出するとともに前記主取り付けボディに形成された第１の複数の位置合わせ穴のいずれかに取り外し可能に係合するように構成された第１位置合わせピンと、
前記第２ハンドル取付台から延出するとともに前記主取り付けボディに形成された第２の複数の位置合わせ穴のいずれかに取り外し可能に係合するように構成された第２位置合わせピンと、を更に有し、
前記第１位置合わせピンを前記第１複数の位置合わせ穴のいずれかに係合することによって、前記第１ハンドル取付台の前記主取り付けボディに対する相対回転が阻止され、
前記第２位置合わせピンを前記第２複数の位置合わせ穴のいずれかに係合することによって、前記第２ハンドル取付台の前記主取り付けボディに対する相対回転が阻止される請求項１に記載のケーブルアタッチメントハンドル。
【請求項６】
前記前記第１ハンドルと第２ハンドルとは、
前記第１位置合わせピンが前記主取り付けボディに形成された前記第１の複数の位置合わせ穴の第１の穴に係合し、かつ、前記第２位置合わせピンが前記主取り付けボディに形成された前記第２の複数の位置合わせ穴の第１の穴に係合する回外位置と、
前記第１位置合わせピンが前記主取り付けボディに形成された前記第１の複数の位置合わせ穴の第２の穴に係合し、かつ、前記第２位置合わせピンが前記主取り付けボディに形成された前記第２の複数の位置合わせ穴の第２の穴に係合する中立位置と、
前記第１位置合わせピンが前記主取り付けボディに形成された前記第１の複数の位置合わせ穴の第３の穴に係合し、かつ、前記第２位置合わせピンが前記主取り付けボディに形成された前記第２の複数の位置合わせ穴の第３の穴に係合する回内位置と、
の間で調節可能である請求項５に記載のケーブルアタッチメントハンドル。
【請求項７】
前記第１ハンドルと前記第２ハンドルとは、更に、
前記第１位置合わせピンが前記第１ハンドル取付台に形成された前記複数の位置合わせ穴の第４の穴に係合し、かつ、前記第２位置合わせピンが前記第２ハンドル取付台に形成された前記複数の位置合わせ穴の第４の穴に係合する完全回外位置と、
の間で調節可能である請求項６に記載のケーブルアタッチメントハンドル。
【請求項８】
前記第１ハンドルは、前記第１ハンドル取付台に取り外し可能に取り付けられ、
前記第２ハンドルは、前記第２ハンドル取付台に取り外し可能に取り付けられている請求項１に記載のケーブルアタッチメントハンドル。
【請求項９】
前記第１ハンドルと前記第２ハンドルのそれぞれは、
長手軸心を有する支柱と、当該支柱からこの支柱の長手軸心に対して平行な平面に沿って延出するパドルと、を有する請求項１に記載のケーブルアタッチメントハンドル。
【請求項１０】
前記第１及び第２ハンドルのそれぞれを、前記第１及び第２ハンドル取付台、にそれぞれ固定する単数または複数の固定具を有する請求項９に記載のケーブルアタッチメントハンドル。
【請求項１１】
前記単数または複数の固定具は、前記第１及び第２ハンドルが前記支柱の前記長手軸心に対して平行な軸心回りで回転することを阻止するべく互いに離間した二つ以上の固定具を含む請求項９に記載のケーブルアタッチメントハンドル。
【請求項１２】
前記パドルは、前記主取り付けボディの前記水平軸心に対して垂直なパドル軸心に対して約１０度ないし約３０度の角度で前記支柱から延出している請求項９に記載のケーブルアタッチメントハンドル。
【請求項１３】
前記第１支柱と前記第２支柱とのそれぞれは、前記主取り付けボディの前記水平軸心に沿ってスライド可能である請求項１に記載のケーブルアタッチメントハンドル。
【請求項１４】
前記第１支柱と前記第２支柱とのそれぞれは、前記主取り付けボディの前記水平軸心に
沿った複数の位置のいずれかにおいてポッパーピンによって固定可能である請求項１３に記載のケーブルアタッチメントハンドル。
【請求項１５】
エクササイズマシン用のケーブルアタッチメントハンドルであって、
水平軸心を形成する主取り付けボディと、
前記主取り付けボディに対して回転可能な第１ハンドル取付台と、
前記主取り付けボディから延出する第１ハンドルと、
前記主取り付けボディに対して回転可能な第２ハンドル取付台と、
前記第２ハンドル取付台から延出する第２ハンドルと、
前記第１スタッドと前記第２スタッドとの間で前記主取り付けボディに対して固定されたケーブルアタッチメント部材と、
前記主取り付けボディから延出するとともに前記第１ハンドル取付台に形成された複数の位置合わせ穴のいずれかに取り外し可能に係合するように構成された第１位置合わせピンと、
前記主取り付けボディから延出するとともに前記第２ハンドル取付台に形成された複数の位置合わせ穴のいずれかに取り外し可能に係合するように構成された第２位置合わせピンと、を有し、
前記第１位置合わせピンを前記第１ハンドル取付台に形成された複数の位置合わせ穴のいずれか係合することによって、前記第１ハンドル取付台の前記主取り付けボディに対する相対回転が阻止され、
前記第２位置合わせピンを前記第２ハンドル取付台に形成された複数の位置合わせ穴のいずれか係合することによって、前記第２ハンドル取付台の前記主取り付けボディに対する相対回転が阻止されるケーブルアタッチメントハンドル。
【請求項１６】
前記第１ハンドルと前記第２ハンドルのそれぞれは、
長手軸心を有する支柱と、当該支柱からこの支柱の長手軸心に対して平行な平面に沿って延出するパドルと、を有する請求項１５に記載のケーブルアタッチメントハンドル。
【請求項１７】
前記パドルは、前記主取り付けボディの前記水平軸心に対して垂直なパドル軸心に対して約１０度ないし約３０度の角度で前記支柱から延出している請求項１６に記載のケーブルアタッチメントハンドル。
【請求項１８】
前記第１ハンドルと第２ハンドルとは、
前記第１位置合わせピンが前記第１ハンドル取付台に形成された前記複数の位置合わせ穴の第１の穴に係合し、かつ、前記第２位置合わせピンが前記第２ハンドル取付台に形成された前記複数の位置合わせ穴の第１の穴に係合する少なくとも部分的に回外の位置と、
前記第１位置合わせピンが前記第１ハンドル取付台に形成された前記複数の位置合わせ穴の第２の穴に係合し、かつ、前記第２位置合わせピンが前記第２ハンドル取付台に形成された前記複数の位置合わせ穴の第２の穴に係合する中立位置と、
前記第１位置合わせピンが前記第１ハンドル取付台に形成された前記複数の位置合わせ穴の第３の穴に係合し、かつ、前記第２位置合わせピンが前記第２ハンドル取付台に形成された前記複数の位置合わせ穴の第３の穴に係合する少なくとも部分的に回内の位置と、
の間で調節可能である請求項１５に記載のケーブルアタッチメントハンドル。
【国際調査報告】
2021505329.tif 000023
2021505329.tif 000024